(57)【要約】  本発明は、照度センサー又は人体感知センサーを用いて家電製品の従属関係の有無に応じて連動機能又は単動機能（個別制御）を行うことにより、節電効果と共に漏洩電流による大型火災の危険性を防ぐことのできる待機電力遮断用の多機能マルチタップ（コンセント）及びその制御方法を開示している。装置は、過電流及びサージ電流が家電製品に流入する場合に、これを感知して電源を遮断／供給する過電流遮断装置；電源からマルチタップ（コンセント）内部の各装置に供給するための動作電圧を生成する電源部；センサーの使用有無及び家電製品の連動／単動条件を設定し、それに応じたスイッチング信号を出力する動作条件設定部；照度又は人の動きを感知して、それに応じた信号を出力するセンサー部；連動又は単動で動作する家電製品に流れる電流を検出し、それに応じた検出信号を出力する電流検出部；使用者のスイッチング信号及び検出信号の入力を受けてセンサー部の感知信号を判断し、連動／単動条件に応じて各引込口に接続された家電製品を待機状態又は節電状態に制御するためのオン／オフ制御信号を出力する制御部；及び、制御部のオン／オフ制御信号の入力を受けて各引込口へ流れる電流を供給／遮断する出力制御部；から構成される。【選択図】      図２
2007522634.tif 000002
【特許請求の範囲】
【請求項１】
電子製品の異常による過電流及びサージ電流が家電製品に流入する場合に、これを感知して電源を遮断／供給する過電流遮断装置；
整流、平滑及び定電圧過程を通して電源からマルチタップ内部の各装置に供給するための動作電圧を生成して出力する電源部；
使用者のスイッチング動作によってセンサーの使用有無及び家電製品の連動／単動条件を設定し、それに応じたスイッチング信号を出力する動作条件設定部；
照度の変化又は人の動きを感知し、それに応じた信号を出力するセンサー部；
連動又は単動で動作する家電製品に流れる電流を検出し、それに応じた検出信号を出力する電流検出部；
連動／単動の機能を選択するための使用者の上記スイッチング信号及び上記検出信号の入力を受け、上記センサー部の上記感知信号を判断して上記連動／単動条件に応じて各引込口に接続された家電製品を待機状態又は節電状態に制御するためのオン／オフ制御信号を出力する制御部；及び、
上記制御部のオン／オフ制御信号の入力を受け、上記各引込口に流れる電流を供給／遮断する出力制御部；
を含むことを特徴とする待機電力遮断用の多機能マルチタップ（コンセント）。
【請求項２】
上記過電流遮断装置は、
過電流の原因が除去された後に、使用者によるリセットボタンの操作によって再び電源を供給することを特徴とする請求項１に記載の待機電力遮断用の多機能マルチタップ（コンセント）。
【請求項３】
上記遮断される過電流の範囲は、
過電流遮断装置によって異なり、製作初期に任意で設定することができることを特徴とする請求項１に記載の待機電力遮断用の多機能マルチタップ（コンセント）。
【請求項４】
上記電源部は、
商用交流電源を所定の交流電圧に降圧する降圧器；
上記降圧された交流電圧を全波整流するブリッジ回路；及び、
上記出力制御部のリレー素子を駆動するための動作電圧として使用するために上記全波整流された上記交流電圧を平滑するキャパシター；
を含むことを特徴とする請求項１に記載の待機電力遮断用の多機能マルチタップ（コンセント）。
【請求項５】
上記動作電圧は１２Ｖの直流電圧であることを特徴とする請求項１に記載の待機電力遮断用の多機能マルチタップ（コンセント）。
【請求項６】
上記動作電圧を所定レベルの直流電圧に降圧した後、上記制御部、上記動作条件設定部及び上記センサー部に出力する定電圧回路をさらに含むことを特徴とする請求項１に記載の待機電力遮断用の多機能マルチタップ（コンセント）。
【請求項７】
上記所定レベルの直流電圧は５Ｖであることを特徴とする請求項６に記載の待機電力遮断用の多機能マルチタップ（コンセント）。
【請求項８】
上記電源部は、
上記制御部に内蔵されたタイマーを駆動するためのクロック信号を生成することを特徴とする請求項１に記載の待機電力遮断用の多機能マルチタップ（コンセント）。
【請求項９】
上記動作条件設定部は、
アレー抵抗及びスイッチから構成され、上記スイッチは、補助引込口のそれぞれに該当する家電製品を連動で使用するか単動で使用するかを使用者が選択できるように、コンセントの外部に設けられることを特徴とする請求項１に記載の待機電力遮断用の多機能マルチタップ（コンセント）。
【請求項１０】
上記センサー部は、
光の明るさに相応する抵抗値を感知し、上記抵抗値と基準の明るさに相応する抵抗値とを比較して照度の変化を感知する照度センサーと、人の動きによって、光が遮断されることで変化を感知する人体感知センサーを含むことを特徴とする請求項１に記載の待機電力遮断用の多機能マルチタップ（コンセント）。
【請求項１１】
上記制御部は、
センサーの使用有無に対するオン／オフ信号の入力を受け、家電製品の連動／単動機能を選択するためのオン／オフ信号の入力をそれぞれ受けて、初期設定をした後に、照度の変化及び人の動きを感知し、上記電流検出部を通して連動又は単動で動作され、補助引込口に接続されている各家電製品に流れる電流の変化を検出した後、家電製品を待機状態又は節電状態に誘導するためのオン／オフ制御信号を上記出力制御部に出力することを特徴とする請求項１に記載の待機電力遮断用の多機能マルチタップ（コンセント）。
【請求項１２】
上記制御部は、
上記センサー部から照度の変化及び人の動きが感知できない場合は、内蔵されたタイマーを動作させることによって家電製品を待機状態又は節電状態に誘導するための制御を行うことを特徴とする請求項１に記載の待機電力遮断用の多機能マルチタップ（コンセント）。
【請求項１３】
電流値の容量がそれぞれ異なる家電製品に対して兼用で使用可能にするために、家電製品に流れる電流の増幅度を可変させ、それに応じたオン／オフ制御信号を上記制御部に出力する電流値調整スイッチをさらに含むことを特徴とする請求項１に記載の待機電力遮断用の多機能マルチタップ（コンセント）。
【請求項１４】
上記電流値調整スイッチは、
一つ以上で構成されることができることを特徴とする請求項１３に記載の待機電力遮断用の多機能マルチタップ（コンセント）。
【請求項１５】
上記出力制御部は、
待機状態及び節電状態に誘導するための上記制御部の制御動作によるオン／オフ制御信号の入力を受けて、内蔵されたリレー素子を接続／遮断することによって、上記各引込口に接続されている家電製品に流れる電流を供給／遮断することを特徴とする請求項１に記載の待機電力遮断用の多機能マルチタップ（コンセント）。
【請求項１６】
上記待機電力遮断用の多機能マルチタップ（コンセント）の過電流遮断装置、電源部、動作条件設定部、センサー部、制御部、電流値検出部及び出力制御部は、
家電製品又はプラグの内部に設けられることができることを特徴とする請求項１に記載の待機電力遮断用の多機能マルチタップ（コンセント）。
【請求項１７】
（ａ）センサーを通して照度の変化があるかを判断する段階；
（ｂ）上記段階（ａ）の判断の結果、照度の変化がある場合に主引込口を待機状態にセットする段階；
（ｃ）各補助引込口のうち、どの引込口が連動で使用されているのか又は単動で使用されているのかを判断する段階；
（ｄ）上記段階（ｃ）の判断の結果、上記各補助引込口のうち所定個数の引込口が連動で使用されている場合、上記主引込口が現在使用中であるかを判断する段階；
（ｅ）上記段階（ｄ）の判断の結果、上記主引込口が現在使用中である場合、連動に設定された上記所定個数の補助引込口を全てオンにする段階；
（ｆ）上記段階（ｄ）の判断の結果、上記主引込口が現在使用中でない場合、連動に設定された上記所定個数の補助引込口を全てオフにする段階；及び、
（ｇ）上記段階（ｃ）の判断の結果、上記各補助引込口のうち所定個数の引込口が単動で使用されている場合、単動に設定された全ての補助引込口をオフにする段階；
を含むことを特徴とする待機電力遮断用の多機能マルチタップ（コンセント）の制御方法。
【請求項１８】
上記段階（ｃ）の判断は、
使用者のスイッチ操作によって入力されるオン／オフ信号に基づいて行われることを特徴とする請求項１７に記載の待機電力遮断用の多機能マルチタップ（コンセント）の制御方法。
【請求項１９】
上記段階（ｄ）の判断は、
上記主引込口に流れる電流変化によるオン／オフ信号に基づいて行われることを特徴とする請求項１７に記載の待機電力遮断用の多機能マルチタップ（コンセント）の制御方法。
【請求項２０】
上記段階（ｅ）は、
待機状態にあった上記主引込口が現在継続して使用中である場合、上記主引込口と連動で動作される所定個数の補助引込口を全てオン状態に制御することを特徴とする請求項１７に記載の待機電力遮断用の多機能マルチタップ（コンセント）の制御方法。
【請求項２１】
（１）上記段階（ａ）の判断の結果、照度の変化がある場合にタイマーを稼動させる段階；
（２）上記タイマーによる所定時間が完了したかを判断する段階；
（３）上記段階（２）の判断の結果、上記所定時間が完了した場合、上記各補助引込口のうち、どの引込口が連動で使用されているのか又は単動で使用されているのかを判断する段階；
（４）上記段階（３）の判断の結果、上記各補助引込口のうち所定個数の補助引込口が連動で使用されている場合、上記主引込口が現在使用中であるかを判断する段階；
（５）上記段階（４）の判断の結果、上記主引込口が現在使用中である場合、上記主引込口を含んで連動に設定された上記所定個数の補助引込口を全てオンにする段階；及び、
（６）上記段階（４）の判断の結果、上記主引込口が現在使用中でない場合、上記主引込口を含んで連動に設定された上記所定個数の補助引込口を全てオフにする段階；
をさらに含むことを特徴とする請求項１７に記載の待機電力遮断用の多機能マルチタップ（コンセント）の制御方法。
【請求項２２】
（Ａ）上記段階（３）の判断の結果、上記主引込口が使用されていない状態で所定個数の補助引込口がそれぞれ単動で使用される場合、単動に設定された上記所定個数の補助引込口が現在使用中であるかを判断する段階；
（Ｂ）上記段階（Ａ）の判断の結果、単動に設定された上記所定個数の補助引込口が現在使用中である場合、上記所定個数の補助引込口を全てオンにする段階；及び、
（Ｃ）上記段階（Ａ）の判断の結果、単動に設定された上記所定個数の補助引込口が現在使用中でない場合、上記所定個数の補助引込口を全てオフにする段階；
をさらに含むことを特徴とする請求項２１に記載の待機電力遮断用の多機能マルチタップ（コンセント）の制御方法。
【請求項２３】
上記センサーは、
照度の変化を感知する照度センサーだけでなく、人の動きを感知する人体感知センサーを同時に含んで駆動されることを特徴とする請求項１７に記載の待機電力遮断用の多機能マルチタップ（コンセント）の制御方法。
【発明の詳細な説明】
【技術分野】
【０００１】
本発明は、マルチタップ（コンセント）に関し、特に、照度センサー又は人体感知センサーを用いて家電製品の従属関係に応じて連動機能又は単動機能（個別制御）を行うことができ、電子製品の異常による過電流又はサージ電流の流入を遮断し、家電製品ごとにそれぞれ異なる電流値の容量を感知してその容量に合うように選択的に電流値を調整可能にした待機電力遮断用の多機能マルチタップ（コンセント）及びその制御方法に関するものである。
【背景技術】
【０００２】
一般に、家庭、事務室又は工場などの産業施設で使用される電気製品は、冷蔵庫のように常に電源が連結され電力の供給を受けなければならないものと、ＴＶ、オーディオ、コンピュータモニターなどのように人が活動する特定時間にのみ電気エネルギーの供給が必要なものとに分類される。
【０００３】
しかし、後者の電気製品においても、電源が壁面や底のコンセントなどに連結されていて、遮断の困難性及び煩わしさのため、多くの場合に常時電源が連結された状態で使用される。
【０００４】
図１は、従来の電気製品２００に電源を供給する電力供給システムの構成図であり、交流電源又は一般のコンセント１００に電気製品２００のプラグを連結することによって電気エネルギーが供給される。そして、電気製品は電源遮断の困難性及び煩わしさのため、多くの場合に常時電源が連結された状態で使用される。
【０００５】
従って、漏洩電力による多くの不要な電力が消耗されており、漏電による大型火災の危険性も内包している。このような漏洩電力による電力浪費を全国に亘って換算すると、相当な電力浪費の要因になっている。
【０００６】
上記の問題点を解決するために、最近はマルチ型の待機電力遮断コンセントが市販されている。上記のようなコンセントは、コンピュータの入力装置であるマウスとキーボードのクロック信号及びデータ信号を用い、使用者がコンピュータを使用していないと判断される場合は上記周辺機器への電源供給を遮断し、使用者がコンピュータを再使用する場合には上記周辺機器への電源供給を再開することによって、使用者がコンピュータ本体をつけっ放しにしたまま使用しない休止時間にも周辺機器の消費電力を節減することができる。
【０００７】
また、コンピュータ本体及び周辺機器が連動で制御されるようにする制御モジュールを含むコンセントが使用されることもある。この時、上記連動制御というのは、コンピュータ本体を主引込口に接続し、他の周辺機器（例えば、プリンタ、モニター等）は補助引込口に接続した後、コンピュータ本体の電源をオフにする場合、コンセントによって待機電力を感知し、上記周辺機器への電源供給はもちろん、待機電力を遮断して無駄な電力消耗を防ぐようにするものである。
【０００８】
これとは反対に、単動制御というのは、上記主引込口とは関係無く上記補助引込口に独立して家電製品を接続した後、コンセントによって待機電力を感知し個別的に供給／遮断するものである。以下における連動制御及び単動制御は、上記のような意味で記述されるものである。
【０００９】
さらには、前述したようなコンセントの動作を、リモコンを用いて遠隔制御する節電型コンセント装置も広く使用されている。
【００１０】
しかし、上記連動制御機能を採択しているコンセントの場合は、周辺環境をより精度よく自動で選択感知し、上記感知された信号によって電源をオン／オフし得る細密な制御機能が不足している。
【００１１】
また、従来の上記コンセントは、電流値の容量がそれぞれ異なる家電製品に対して兼用で使用する場合、その機能（連動制御）をろくに発揮できないという問題点があった。
【発明の開示】
【発明が解決しようとする課題】
【００１２】
本発明は、上記の問題点を解決するために案出されたものであり、本発明の目的は、ＴＶやコンピュータモニターなどのように、電力を常時必要とはしない電気製品において、電気エネルギーの供給が不要な、人の寝る夜や人のいない時間など節電が必要な時間帯を、照度センサー又は人体感知センサーを用いて自動で選択感知し、上記感知された信号に応じて電源をオン／オフにすることにより、不要な電力消耗を防止すると共に漏電による火災を予防できるようにした待機電力遮断用の多機能マルチタップ（コンセント）及びその制御方法を提供することにある。
【００１３】
また、本発明の別の目的は、照度センサー又は人体感知センサーを用い、従属関係にある家電製品及びコンピュータ製品を連動制御できるようにした待機電力遮断用の多機能マルチタップ（コンセント）及びその制御方法を提供することにある。
【００１４】
本発明のまた別の目的は、電流値の容量がそれぞれ異なる家電製品に対して、容量に合うように選択的に電流値を調整することによって、兼用で使用できるようにした待機電力遮断用の多機能マルチタップ（コンセント）及びその制御方法を提供することにある。
【００１５】
また、本発明の更にまた別の目的は、コンピュータ本体のように、主に使用される製品の電源使用の有無に応じて、コンピュータ周辺機器のように上記コンピュータ本体と連動する製品の電源を供給／遮断する連動制御機能だけでなく、使用者の選択によって上記連動制御とは別途に家電製品を独立して運用できるようにした待機電力遮断用の多機能マルチタップ（コンセント）及びその制御方法を提供することにある。
【課題を解決するための手段】
【００１６】
上記の目的を達成するための本発明による待機電力遮断用の多機能マルチタップ（コンセント）は、電子製品の異常による過電流及びサージ電流が家電製品に流入する場合に、これを感知して電源を遮断／供給する過電流遮断装置；整流（rectification）、平滑（smoothing）及び定電圧過程（voltage regulation）を通して電源からマルチタップ内部の各装置に供給するための動作電圧を生成して出力する電源部；使用者のスイッチング動作によってセンサーの使用有無及び家電製品の連動／単動条件を設定し、それに応じたスイッチング信号を出力する動作条件設定部；照度又は人の動きを感知し、それに応じた信号を出力するセンサー部；連動又は単動で動作する家電製品に流れる電流を検出し、それに応じた検出信号を出力する電流検出部；連動／単動の機能を選択するための使用者の上記スイッチング信号及び上記検出信号の入力を受け、上記センサー部の上記感知信号を判断して上記連動／単動条件に応じて各引込口に接続された家電製品を待機状態又は節電状態に制御するためのオン／オフ制御信号を出力する制御部；及び、上記制御部のオン／オフ制御信号の入力を受け、上記各引込口へ流れる電流を供給／遮断する出力制御部；を含むことを特徴とする。
【００１７】
また、本発明による待機電力遮断用の多機能マルチタップ（コンセント）の制御方法は、（ａ）センサーを通して照度の変化があるかを判断する段階；（ｂ）上記判断の結果、照度の変化がある場合に主引込口を待機状態にセットする段階；（ｃ）各補助引込口のうち、どの引込口が連動で使用されているのか又は単動で使用されているのかを判断する段階；（ｄ）上記段階（ｃ）の判断の結果、上記各補助引込口のうち所定個数の引込口が連動で使用されている場合、上記主引込口が現在使用中であるかを判断する段階；（ｅ）上記段階（ｄ）の判断の結果、上記主引込口が現在使用中である場合、連動に設定された上記所定個数の補助引込口を全てオンにする段階；（ｆ）上記段階（ｄ）の判断の結果、上記主引込口が現在使用中でない場合、連動に設定された上記所定個数の補助引込口を全てオフにする段階；及び、（ｇ）上記段階（ｃ）の判断の結果、上記各補助引込口のうち所定個数の引込口が単動で使用されている場合、単動に設定された全ての補助引込口をオフにする段階；を含むことを特徴とする。
【発明を実施するための最良の形態】
【００１８】
以下、添付図面を参照しながら、照度センサーや人体感知センサーなどを備え、連動／単動条件下にある各引込口の周辺の照度の変化や人の有無を感知し、上記感知された信号を判断して連動／単動条件に応じて各引込口に供給される商用交流電源を自動で供給／遮断し、電流値の容量がそれぞれ異なる家電製品に対して容量に合うように選択的に電流値を調整することによって、兼用で使用することのできる待機電力遮断用の多機能マルチタップ（コンセント）及びその制御方法の望ましい実施例について詳述すれば、次の通りである。
【００１９】
図２は、本発明による待機電力遮断用の多機能マルチタップ（コンセント）の構成を示す図である。
【００２０】
同図に示すように、本発明による待機電力遮断用の多機能マルチタップ（コンセント）は、電子製品の異常による過電流及びサージ電流が家電製品に流入する場合に、これを感知して商用交流電源を遮断／供給する過電流遮断装置１と；整流（rectification）、平滑（smoothing）及び定電圧過程（voltage regulation）を通して商用交流電源からマルチタップ（コンセント）内部の各装置に供給するための動作電圧及び後述する制御部６に内蔵されたタイマーを駆動するためのクロック信号を生成した後出力する電源部２と；使用者のスイッチング動作によってセンサーの使用有無及び各家電製品の連動／単動条件を設定し、それに応じたスイッチング信号を出力する動作条件設定部３と；照度又は人の動きを感知し、それに応じた信号を出力するセンサー部４と；連動又は単動で動作する家電製品に流れる電流を検出し、それに応じた検出信号を出力する電流検出部５と；連動／単動の機能を選択するための使用者の上記スイッチング信号及び上記検出信号の入力を受けて上記センサー部４の上記感知信号を判断し、上記連動／単動条件に応じて各引込口に接続された家電製品を待機状態又は節電状態に制御するためのオン／オフ制御信号を出力する制御部６と；上記制御部６のオン／オフ制御信号の入力を受け、上記各家電製品に流れる電流を供給／遮断する出力制御部７から構成される。
【００２１】
一般に、韓国では２２０Ｖ、６０Ｈｚの商用交流電源が使用されている。
【００２２】
従って、本発明によるマルチタップ（コンセント）は２２０Ｖ、６０Ｈｚ用に設定されているが、それぞれ異なる商用交流電源を使用する国では、その特定電源に合うように設定して使用することができる。
【００２３】
上記のように構成された本発明による待機電力遮断用の多機能マルチタップ（コンセント）の動作について説明すれば、次の通りである。
【００２４】
まず、上記過電流遮断装置１は、電子製品の異常による過電流及びサージ電流が家電製品に流入する場合に、これを感知して商用交流電源を遮断／供給する。
【００２５】
上記電源部２は、整流（rectification）、平滑（smoothing）及び定電圧過程（voltage regulation）を通して商用交流電源からマルチタップ（コンセント）内部の各装置に供給するための動作電圧を生成する。この時、上記電源部２により生成される動作電圧は、主に５Ｖ乃至１２Ｖの直流電圧であり、１２Ｖは上記出力制御部７に内蔵された各リレーＲＹ１〜ＲＹ６の電源として、５Ｖは上記リレー以外の装置の電源としてそれぞれ使用される。
【００２６】
また、上記電源部２は、後述する制御部６に内蔵されたタイマー（図示せず）を駆動するためのクロック信号を生成する。上記タイマーは、上記センサー部４のセンサーによって照度の変化又は人の動きが感知されない場合、連動又は単動で駆動される家電製品に印加される電源を自動で遮断するために設定された基準時間稼働される。上記タイマー及びそれに応じた電源遮断機能についての詳しい説明は後述する。
【００２７】
上記動作条件設定部３は、使用者のスイッチング動作によってセンサーの使用有無及び各家電製品の連動／単動条件を設定し、それに応じたスイッチング信号を上記制御部６に出力する。この時、上記連動条件は、上記主引込口ＣＯＮ１に、コンピュータ本体のように主に使用される製品が接続されている状態で、使用者の単純なスイッチ操作によって、コンピュータ周辺機器のように上記コンピュータ本体と連動される製品に電源を供給／遮断できるように設定されることができる。
【００２８】
上記連動条件に設定されて補助引込口ＣＯＮ２〜ＣＯＮ６の一部に接続された家電製品とは別途に、ＴＶやオーディオを独立して使用しようとする場合にも、使用者のスイッチ操作によって単動条件が設定されることができる。
【００２９】
また、上記動作条件設定部３は、使用者の簡単なスイッチ操作によって、照度センサーのみを使用するのか、若しくは照度センサー及び人体感知センサーを同時に使用するのかを選択できる。
【００３０】
その後、上記連動／単動条件に応じたスイッチング信号及び上記センサーの選択に応じたスイッチング信号は、上記制御部６に入力される。
【００３１】
上記センサー部４は、上述したように、上記動作条件設定部３で使用者によって取捨選択可能な照度センサー又は人体感知センサーを含み、照度又は人の動きを感知して、それに応じた信号を上記制御部６に出力する。
【００３２】
一方、上記電流検出部５は、連動又は単動で動作する各家電製品に流れる電流を検出し、それに応じた検出信号を上記制御部６に出力する。
【００３３】
その後、上記制御部６は上記センサー部４の感知信号の入力を受け、連動又は単動で動作する各家電製品の使用有無についての判断に基づき、上記各家電製品に電源を供給／遮断するためのオン／オフ制御信号を出力する。つまり、上記制御部６は、連動／単動機能を選択するための使用者の上記スイッチング信号、及び連動又は単動で動作する各家電製品の上記電流検出信号の入力を受け、上記センサー部４から入力される上記感知信号を判断し、上記連動／単動条件に応じて上記各家電製品に流れる電流を供給／遮断するためのオン／オフ制御信号を上記出力制御部７に出力する。この時、上記制御部６はマイクロプロセッサにより具現される。
【００３４】
上記制御部６で行われる本発明によるマルチタップ（コンセント）の具体的な制御方法は、図９及び図１０で詳細に説明される。
【００３５】
上記出力制御部７は上記制御部６のオン／オフ制御信号の入力を受け、上記各家電製品に流れる電流を供給／遮断する。この時、上記出力制御部７はリレー素子により具現されることができ、自身のオン／オフ状態に応じて電源を上記各家電製品に供給／遮断する。
【００３６】
図３乃至図８は、図２の待機電力遮断用の多機能マルチタップ（コンセント）の各部の詳細な回路図であり、これについて説明すれば次の通りである。
【００３７】
図３は、図２の過電流遮断装置及び電源部の詳細な回路図である。
【００３８】
同図に示すように、上記過電流遮断装置１は、電子製品の異常による過電流及びサージ電流が家電製品に流入する場合に、これを感知して商用交流電源を遮断し、過電流の原因が除去された後、使用者によるリセット（reset）ボタンの操作で、再び電源を供給するようになる。この時、遮断される過電流の範囲は過電流遮断装置によって異なり、製作初期に任意に設定することができる。
【００３９】
上記電源部２は、商用交流電源を直流電源に変換し、マルチタップ（コンセント）に内蔵された各装置に供給する。
【００４０】
まず、商用交流電源は、降圧器（down transformer）を通して所定の交流電圧に降圧される。次の段で、上記交流電圧は４個のダイオードＤ１〜Ｄ４から形成されたブリッジ回路を通して全波整流され、上記全波整流された上記交流電圧はキャパシターＣ１を通して平滑され、１２Ｖの直流電圧となる。上記１２Ｖの直流電圧は上記出力制御部７のリレー素子を駆動するための動作電圧として使用される。
【００４１】
また、上記１２Ｖの直流電圧は、次の段の定電圧回路を通して５Ｖに降圧され、上記制御部６のマイクロプロセッサ、上記動作条件設定部３及び上記センサー部４の照度センサー及び人体感知センサーなどの動作電圧として使用される。
【００４２】
一方、上記電源部２は上記制御部６に内蔵されたタイマー（図示せず）を駆動するためのクロック信号を生成する。つまり、上記降圧器を通して降圧された交流電圧はトランジスタＱ３を通してオン／オフ信号が生成され、上記オン／オフ信号は上記制御部６のマイクロプロセッサに内蔵されたタイマーを駆動するためのクロック信号として使用されるのである。
【００４３】
図４は、図２の動作条件設定部３の詳細な回路図である。
【００４４】
同図に示すように、上記動作条件設定部３は、アレー抵抗ＲＡ１及びスイッチＳＷ１〜ＳＷ６からなる。上記スイッチＳＷ１〜ＳＷ５は、上記補助引込口ＣＯＮ２〜ＣＯＮ６のそれぞれに該当する家電製品を連動で使用するのか単動で使用するのかを使用者が選択できるように、コンセントの外部に設けられる。
【００４５】
この時、主引込口ＣＯＮ１に家電製品が接続されている場合、端子ＣＴ１を通してオン信号が出力され、上記制御部６にそのオン信号が入力されることによって、上記制御部６は上記主引込口ＣＯＮ１が使用されていることを認知することができる。
【００４６】
反対に、上記主引込口ＣＯＮ１に家電製品が接続されていない場合は、端子ＣＴ１を通してオフ信号が出力され、上記制御部６にそのオフ信号が入力されることによって、上記制御部６は上記主引込口ＣＯＮ１が使用されていないことを認知することができる。従って、この場合、上記マルチタップ（コンセント）は連動ではなく単動でのみ動作する。
【００４７】
上記主引込口ＣＯＮ１に家電製品が接続されている場合、即ち上記端子ＣＴ１へオン信号が入力される場合には、使用者が上記スイッチＳＷ１〜ＳＷ５をオン／オフすることにより、上記補助引込口ＣＯＮ２〜ＣＯＮ６のそれぞれに該当する家電製品を連動で使用するのか単動で使用するのかを選択できる。もちろん、上記スイッチＳＷ１〜ＳＷ５のオン／オフ信号が、上記制御部６のマイクロプロセッサに入力されることによって、上記制御部６は、どの補助引込口が連動で使用されているのか単動で使用されているのかを認知することができる。
【００４８】
上記スイッチＳＷ６は、照度センサーのみを使用するのか、若しくは照度センサー及び人体感知センサーを同時に使用するのかを使用者が選択できるように、マルチタップ（コンセント）の外部に設けられる。もちろん、この時にも、上記二つのケースに該当するオン／オフ信号が上記制御部６のマイクロプロセッサに入力されることによって、上記制御部６は照度センサーからの感知信号の入力のみを受けるのか、若しくは照度センサー及び人体感知センサーの感知信号の入力を同時に受けるのかを判断する。
【００４９】
ここで、上記制御部６が上記スイッチＳＷ６のオン／オフ信号に応じて入力を受けるセンサーを認知した後に、上記二つのセンサーから照度の変化及び人の動きを感知できない場合、即ち、照度の変化及び人の動きが無い場合には、内蔵されたタイマーを動作させることによって待機状態又は節電状態を制御する。上記タイマーの動作時間は、製作初期に適切に可変的に設定されることができる。
【００５０】
上記端子（ON／OFF）は、上記センサー部４の人体感知センサーの使用有無を選択事項とした場合に使われるが、上記端子からオン信号が入力されると上記人体感知センサーを使用するということを意味し、オフ信号が入力されると上記人体感知センサーを使用しないということを意味する。もちろん、上記人体感知センサーを用いない場合には、上記スイッチＳＷ６は、使用者により照度センサーを使用するのか、若しくはタイマーを使用するのかを選択できるようになっているであろう。
【００５１】
図５及び図６は、図２のセンサー部に含まれている照度センサー及び人体感知センサーの詳細な回路図である。
【００５２】
まず、図５の上記照度センサー４Ａの動作について説明する。
【００５３】
照度（ＣＤＳ）センサーに光が感知されると、即ち、光の明るさに相応する抵抗値が感知されると、比較器Ｕ２は、上記抵抗値と基準の明るさ（抵抗値）を比較して照度の変化を感知する。この時、照度感知調整素子ＶＲ１は、光の明るさを示す基準抵抗値を設定できる。
【００５４】
その後、上記比較器Ｕ２は、上記照度（ＣＤＳ）センサーの抵抗値と上記基準抵抗値との差値を算出し、それに応じた信号をトランジスタＱ５に入力し、上記トランジスタＱ５に入力された信号は上記制御部６にて判断可能なオン／オフ制御信号に変換され、端子ＣＤＳを通して上記制御部６に入力される。従って、上記制御部６は上記照度センサーにより感知された信号を通して照度の変化があることを判断し、その照度の変化に応じて連動又は単動で動作している各家電製品に電源を供給／遮断することで、コンセントを待機状態又は節電状態に誘導するように制御するのである。
【００５５】
表示素子ＬＤ１は、上記比較器Ｕ２を通して算出された差値がトランジスタを通して増幅された後、その増幅された差値に該当する信号に応じて点灯／点滅する。この時、上記表示素子ＬＤ１が点灯したということは、照度の変化があるということを意味する。即ち、マルチタップ（コンセント）が節電状態又は待機状態に誘導されるための照度状態にあるということである。
【００５６】
次は、図６の上記人体感知センサー４Ｂの動作について説明する。
【００５７】
まず、人体感知センサーＳＳ２は、人の動きによって光が遮断されることで変化を感知し、それに応じた感知信号を次の段の二段増幅器へ出力する。上記増幅された感知信号は、トランジスタＱ６を経て上記制御部６にて判断可能なオン／オフ制御信号に変換された後、上記制御部６に出力される。この時、上記人体感知センサーとしては主に赤外線センサーを用いることができる。
【００５８】
上記端子（ON／OFF）は上記人体感知センサーの使用有無を選択事項とした場合に使用されるが、二つのコネクタＣＮ１、ＣＮ２が互いに接続された場合にオン信号が出力され、互いに遮断された時にオフ信号が出力される。
【００５９】
しかし、上述したように、本発明では、上記端子（ON／OFF）からオン信号が入力された場合のみに限定して、即ち、上記二つのコネクタＣＮ１、ＣＮ２が互いに接続されていると仮定して、説明される。
【００６０】
その後、上記制御部６は、上記人体感知センサーにより感知された信号を通して人の動きがあることを判断し、その動きの変化によって連動又は単動で動作している各家電製品に電源を供給／遮断することで、マルチタップ（コンセント）を待機状態又は節電状態に誘導するように制御する。
【００６１】
図面上では示されていないが、上記照度センサー４Ａのように、表示素子を備え、それによって人の動きの変化を視覚的に表すことができる。
【００６２】
図７は、図２の制御部の詳細な回路図である。
【００６３】
まず、上記制御部６は、端子を通して、上記動作条件設定部３の上記スイッチＳＷ１〜ＳＷ５のオン／オフ信号の入力を受け、どの補助引込口が連動で使用されているのか単動で使用されているのかを認知することができる。
【００６４】
また、上記制御部６は、端子ＭＥＮを通して、上記スイッチＳＷ６のオン／オフ信号の入力を受け、照度センサーからの感知信号の入力のみを受けるのか、若しくは照度センサー及び人体感知センサーの感知信号の入力を同時に受けるのかを認知することができる。
【００６５】
また、上記制御部６は、端子ＭＡＩＮを通して、上記主引込口ＣＯＮ１に家電製品が接続されている場合に伴う端子ＣＴ１のオン信号の入力を受けることによって、上記主引込口ＣＯＮ１が使用されていることを認知することができる。
【００６６】
反対に、上記端子ＭＡＩＮを通して、上記主引込口ＣＯＮ１に家電製品が接続されていない場合に伴う端子ＣＴ１のオフ信号の入力を受けることによって、上記主引込口ＣＯＮ１が使われていないことを認知することができる。従って、このような場合、上記マルチタップ（コンセント）は連動ではなく単動でのみ動作し、この状態を上記制御部６が認知するのである。上記端子ＣＴ１のオン／オフ信号は、後述する第１の電流検出回路５Ａから入力を受けるが、これは図８の電流検出部の詳細な回路図で説明される。
【００６７】
上述したように、上記制御部６は、端子ＭＥＮを通してセンサー使用有無に対するオン／オフ信号の入力を受け、スイッチＳＷ１〜ＳＷ５を通して家電製品の連動／単動機能を選択するためのオン／オフ信号の入力をそれぞれ受けて初期設定をする。
【００６８】
上記初期設定以後に、上記制御部６は、端子ＣＤＳ、ＩＲＳに入力されるオン／オフ信号を通して照度の変化及び人の動きを感知し、上記電流検出部５を通して、連動又は単動で動作され補助引込口ＣＯＮ２〜ＣＯＮ６に接続されている各家電製品に流れる電流変化を検出し、それに応じた信号の入力を上記端子ＣＴ２〜ＣＴ６を通して受けた後、それに応じたオン／オフ制御信号を上記出力制御部７に出力することによって、各家電製品を待機状態又は節電状態に誘導するための制御を行う。
【００６９】
ここで、上記制御部６が、上記スイッチＳＷ６のオン／オフ信号に応じて入力を受けるセンサーを認知した後、上記二つのセンサーから照度の変化及び人の動きを感知できない場合、即ち、照度の変化及び人の動きがない場合には、内蔵されたタイマーを動作させることによって、家電製品を待機状態又は節電状態に誘導するための制御を行う。
【００７０】
待機状態及び節電状態に誘導するための上記制御部６の制御動作は、上記各端子ＳＷ１〜ＳＷ５、ＭＡＩＮ、ＭＥＮ、ＣＴ２〜ＣＴ６、ＣＬＯＣＫ、ＣＤＳ、ＩＲＳから入力されるオン／オフ信号を総合的に判断した後、最終的に上記出力制御部７へオン／オフ制御信号を入力することによって行われる。この時、上記出力制御部７に内蔵されたリレー素子は、上記入力されたオン／オフ制御信号に応じて接続／遮断されることにより、上記各引込口ＣＯＮ１〜ＣＯＮ６に接続されている家電製品等へ流れる電流を供給／遮断するが、これは、図８の出力制御部の詳細な回路図で説明される。
【００７１】
図８は、図２の電流検出部及び出力制御部の詳細な回路図である。
【００７２】
まず、電流検出部５について説明する。
【００７３】
上記電流検出部５は、第１乃至第６の電流検出回路５Ａ〜５Ｆから構成される。
【００７４】
上記主引込口ＣＯＮ１には、コンピュータ本体のように連動制御のための家電製品が接続され、この時、上記第１の電流検出回路５Ａは上記家電製品に流れる電流を検出し、連動のための家電製品の使用有無に該当するオン／オフ信号を、上記端子ＣＴ１を通して上記制御部６の端子ＭＡＩＮに出力する。かかる動作は、上記制御部６の初期設定時に行われる。
【００７５】
一方、上記補助引込口ＣＯＮ２〜ＣＯＮ６には、上記コンピュータ本体と従属的に連動されるコンピュータ周辺機器のような家電製品、又は独立して動作される家電製品が接続される。
【００７６】
その後、上記制御部６が照度の変化及び人の動きを感知した後、或いは内蔵されたタイマーによって家電製品を待機状態又は節電状態に誘導するための制御を遂行する場合、上記第１乃至第６の電流検出回路５Ａ〜５Ｆは、上記各引込口ＣＯＮ１〜ＣＯＮ６に接続された家電製品に流れる電流の変化を感知した後、それに応じた感知信号を上記制御部６の端子ＭＡＩＮ、ＣＴ２〜ＣＴ６へ入力する。ここで、上記第１乃至第６の電流検出回路５Ａ〜５Ｆに内蔵された電流検出器（current transformer）ＣＴ１１〜ＣＴ１６、比較器Ｕ２及びトランジスタＱ１３〜Ｑ１８の動作説明は、当該技術分野における通常の知識を有する者ならば十分に理解できる技術水準であるため、ここでは省略する。
【００７７】
上記第６の電流検出回路５Ｆには、電流値調整スイッチ５−１が内蔵されるが、上記電流値調整スイッチ５−１は、電流値の容量がそれぞれ異なる家電製品に対して容量に合うように使用者が選択して電流値を調整することによって兼用で使用することができるようにするための装置である。例えば、一つの電流値の容量値にセットされたマルチタップ（コンセント）において、コンピュータの電流値の容量と携帯電話のバッテリー充電装置の電流値の容量がそれぞれ異なるため、これに対する調整なしではこの二つを兼用で使用することができない。
【００７８】
従って、上記電流値調整スイッチ５−１の調整によって、家電製品に流れる電流の増幅度が可変となることで、それに応じたオン／オフ制御信号が上記制御部６に出力され、上記制御部６は電流値の容量の異なる家電製品が入力されても、その家電製品につりあう制御信号を出力できる。
【００７９】
図面には示されていないが、上記電流値調整スイッチ５−１が動作される前に、現在使用されている各家電製品の電流値が電流値感知センサー（図示せず）によって感知された後、上記制御部６が各家電製品の電流値に合うように上記電流値調整スイッチ５−１を調整することもできる。この時、上記電流値感知センサーは、製作者の任意で又は使用者の好みに応じて、マルチタップ（コンセント）のソケット部及び各引込口側傍などに自由自在に装着できる。
【００８０】
図面では、上記電流値調整スイッチ５−１が、上記第６の電流検出部５Ｆに一つだけ接続されているが、これは一例に過ぎず、電流値調整スイッチは上記第６の電流検出回路５Ｆのように、上記第１乃至第５の電流検出回路５Ａ〜５Ｅに接続されることもできる。
【００８１】
次は、出力制御部７について説明する。
【００８２】
上記出力制御部７は、第１乃至第６の出力制御回路７Ａ〜７Ｆから構成されるが、各回路の構成及び動作は同じである。
【００８３】
上記第１乃至第６の出力制御回路７Ａ〜７Ｆは、待機状態及び節電状態に誘導するための上記制御部６の制御動作に応じたオン／オフ制御信号の入力を受け、その状態に応じて内蔵されたリレー素子を接続／遮断することにより、上記各引込口ＣＯＮ１〜ＣＯＮ６に接続されている家電製品等に流れる電流を供給／遮断する。
【００８４】
以下、上記センサー部４の感知信号を判断し、連動又は単動で動作する各家電製品を待機状態又は節電状態に誘導するための本発明による待機電力遮断用の多機能マルチタップ（コンセント）の一連の制御方法について説明する。
【００８５】
図９は、照度センサーを用いる場合における、本発明による待機電力遮断用の多機能マルチタップ（コンセント）の制御方法を示す動作フローチャート、図１０は、照度センサー及び人体感知センサーを同時に使用する場合における、本発明による待機電力遮断用の多機能コンセント装置の制御方法を示す動作フローチャートである。
【００８６】
上記制御部６は、使用者の上記スイッチＳＷ６の操作に応じたオン／オフ信号の入力を受けることにより、照度センサーのみを用いて制御を行うのか、若しくは照度センサー及び人体感知センサーを同時に用いて制御を行うのかを判断する。
【００８７】
まず、図９を参照し、照度センサーを用いる場合における、本発明に係る待機電力遮断用の多機能マルチタップ（コンセント）の制御部による制御方法について説明する。
【００８８】
まず、上記センサー部４の照度センサー４Ａは、照度の変化があるかを感知する（Ｓ１０）。照度の変化が感知されない場合、即ち外部の照度の変化がない場合は、連動又は単動で動作している家電製品を待機状態又は節電状態に制御するために、上記制御部６に内蔵されたタイマーが所定時間稼働する（Ｓ１１）。この時、上記所定時間は節電のために最も効率的な時間に設定されることができる。
【００８９】
その後、上記タイマーの上記所定時間が完了したかを判断し（Ｓ１２）、上記段階（Ｓ１２）の判断の結果、上記所定時間が完了する前に照度の変化が感知された場合、上記制御部６は上記タイマーをクリア（clear）し（Ｓ１３）、上記主引込口ＣＯＮ１を待機状態にしておく（Ｓ１４）。
【００９０】
連動機能のための上記主引込口ＣＯＮ１が使われない場合には、補助引込口ＣＯＮ２〜ＣＯＮ６に対してのみ連動又は単動で使用中であるかが感知された後、節電状態又は待機状態に制御できるが、本発明による待機電力遮断用の多機能マルチタップ（コンセント）の制御方法では、上記主引込口ＣＯＮ１と少なくとも一つ以上の上記補助引込口ＣＯＮ２〜ＣＯＮ６が連動で使用されている場合に限って説明することにする。
【００９１】
その後、上記制御部６は、上記各補助引込口ＣＯＮ２〜ＣＯＮ６のうち、どの引込口が連動で使用されているのか又は単動で使用されているのかを判断する（Ｓ１５）。上記判断は、上記動作条件設定部３で使用者のスイッチ操作によって上記端子等ＳＷ１〜ＳＷ５へ入力されるオン／オフ信号に基づいて行われる。
【００９２】
上記段階（Ｓ１５）の判断の結果、上記各補助引込口ＣＯＮ２〜ＣＯＮ６のうち所定個数の引込口が連動で使用されている場合、上記制御部６は上記主引込口ＣＯＮ１が現在使用中であるかを判断する（Ｓ１６）。上記判断は、上記電流検出部５の電流変化に伴う端子ＣＴ１のオン／オフ信号に基づいて行われる。
【００９３】
上記段階（Ｓ１６）の判断の結果、上記制御部６は上記主引込口ＣＯＮ１が現在使用中である場合、連動に設定された上記所定個数の補助引込口を全てオンにする（Ｓ１７）。上記動作は、上記制御部６が上記出力制御部７のリレー素子にオン／オフ制御信号を出力することによって行われる。結果的に、上記状態は待機状態中にあった上記主引込口ＣＯＮ１が現在続けて使用中のため、上記主引込口ＣＯＮ１と連動で動作する所定個数の（又は、全ての）補助引込口がオン（待機状態）に制御されたことを意味する。
【００９４】
しかし、上記段階（Ｓ１６）の判断の結果、上記制御部６は上記主引込口ＣＯＮ１が現在使用中でない場合、連動に設定された上記所定個数の補助引込口を全てオフにする（Ｓ１８）。結果的に、上記状態は待機状態中にあった上記主引込口ＣＯＮ１が現在使用中でないため、上記主引込口ＣＯＮ１と連動で動作する所定個数の（又は、全ての）補助引込口が、全てオフ（節電状態）に制御されたことを意味する。
【００９５】
一方、上記段階（Ｓ１５）の判断の結果、上記制御部６は、上記各補助引込口ＣＯＮ２〜ＣＯＮ６のうち所定個数の引込口が単動で使用されている場合、単動に設定された全ての補助引込口をオフにする（Ｓ１９）。これは、上記主引込口ＣＯＮ１の待機状態とは別途に、上記制御部６によって独立して行われる。
【００９６】
一方、上記センサー部４の上記照度センサー４Ａに感知された照度の変化による制御ではなくタイマー動作による制御について説明すれば、次の通りである。
【００９７】
上記段階（Ｓ１２）の判断の結果、上記所定時間が完了した場合、上記制御部６は上記各補助引込口ＣＯＮ２〜ＣＯＮ６のうち、どの引込口が連動で使用されているのか又は単動で使用されているのかを判断する（Ｓ２０）。上記段階（Ｓ２０）の判断の結果、上記各補助引込口ＣＯＮ２〜ＣＯＮ６のうち所定個数の補助引込口が連動で使用されている場合、上記制御部６は上記主引込口ＣＯＮ１が現在使用中であるかを判断する（Ｓ２１）。
【００９８】
上記段階（Ｓ２１）の判断の結果、上記主引込口ＣＯＮ１が現在使用中である場合、上記制御部６は上記主引込口ＣＯＮ１を含んで連動に設定された上記所定個数の補助引込口を全てオンにする（Ｓ２２）。
【００９９】
しかし、上記段階（Ｓ２１）の判断の結果、上記主引込口ＣＯＮ１が現在使用中でない場合、上記制御部６は上記主引込口ＣＯＮ１を含んで連動に設定された上記所定個数の補助引込口を全てオフにする（Ｓ２３）。
【０１００】
結果的に、上記段階（Ｓ２０〜Ｓ２３）を通して、上記主引込口ＣＯＮ１と連動で動作するように設定された補助引込口と上記主引込口ＣＯＮ１が、全てオン（待機）状態又はオフ（節電）状態に制御される。
【０１０１】
一方、上記段階（Ｓ２０）の判断の結果、上記各補助引込口ＣＯＮ２〜ＣＯＮ６のうち所定個数の補助引込口が単動でのみ使用されている場合、即ち、上記主引込口ＣＯＮ１が使用されていない状態で所定個数の補助引込口が各々独立して使用される場合、上記制御部６は単動に設定された上記所定個数の補助引込口が現在使用中であるかを判断する（Ｓ２４）。上記判断は、上記電流検出部５の電流変化に伴う端子ＣＴ２〜ＣＴ６のオン／オフ信号に基づいて行われる。
【０１０２】
上記段階（Ｓ２４）の判断の結果、単動に設定された上記所定個数の補助引込口が現在使用中である場合、上記制御部６は上記所定個数の補助引込口を全てオンにする（Ｓ２５）。上記動作は、上記制御部６が上記出力制御部７のリレー素子にオン／オフ制御信号を出力することによって行われる。
【０１０３】
しかし、上記段階（Ｓ２４）の判断の結果、単動に設定された上記所定個数の補助引込口が現在使用中でない場合、上記制御部６は上記所定個数の補助引込口を全てオフにする（Ｓ２５）。
【０１０４】
結果的に、上記段階（Ｓ２０、Ｓ２４〜Ｓ２５）は、単動に設定された上記所定個数の補助引込口が現在の使用有無によって全てオン（待機）状態又はオフ（節電）状態に制御される。
【０１０５】
最終的に、節電状態又は待機状態に制御されている上記主引込口ＣＯＮ１及び上記各補助引込口ＣＯＮ２〜ＣＯＮ６は、照度の変化に伴う上記制御部６の制御及び判断により、上記のような制御動作を繰り返すようになる。
【０１０６】
次に、照度センサー及び人体感知センサーを同時に使用する場合における、本発明に係る待機電力遮断用の多機能コンセント装置の制御部による制御方法について説明する。
【０１０７】
まず、上記センサー部の照度センサー４Ａは、照度の変化又は人の動きがあるかを感知する（Ｓ３０）。照度の変化又は人の動きが感知されない場合、連動又は単動で動作されている家電製品を待機状態又は節電状態に制御するために、上記制御部６に内蔵されたタイマーが所定時間稼働する（Ｓ３１）。この時、上記所定時間は節電のために最も効率的な時間に設定されることができる。
【０１０８】
その後、上記タイマーの上記所定時間が完了したかを判断し（Ｓ３２）、上記段階（Ｓ３２）の判断の結果、上記所定時間が完了する前に照度の変化又は人の動きが感知された場合、上記制御部６は上記タイマーをクリア（clear）し（Ｓ３３）、上記主引込口ＣＯＩＮ１を待機状態にしておく（Ｓ３４）。
【０１０９】
以下、段階（Ｓ３５）から段階（Ｓ４６）までの制御動作は、上記段階（Ｓ１５）から上記段階（Ｓ２６）までの制御動作と同一であるため、省略する。
【０１１０】
以上で説明したように、本発明による待機電力遮断用の多機能マルチタップ（コンセント）は、照度センサーや人体感知センサーなどを備え、連動／単動条件下にある各引込口周辺の照度の変化や人の有無を感知し、上記感知された信号を制御部によって判断し、連動／単動条件に応じて上記各引込口を待機状態及び節電状態に制御して、電流値の容量がそれぞれ異なる家電製品に対して容量に合うように選択的に電流値を調整することによって、兼用で使用することができるようにする。
【０１１１】
以上で説明した本発明の実施例は、一つの実施例に過ぎず、本発明が上記実施例に限定されるものではなく、また上記実施例の他に多くの変更や変形が可能であることはもちろんである。
【０１１２】
例えば、上記センサー部４においては、ＣＤＳセンサー及び赤外線センサー以外に、フォトトランジスタ、他の光センサー、音響センサー、温度センサーなどが装着可能であり、幾つものセンサーを重複して使用することもできる。
【０１１３】
また、上記各引込口は、六つのみを図示したが、製作者の任意で又は使用者の好みによって自由に製作されることもできる。
【０１１４】
また、本発明による上記各装置、即ち、過電流遮断装置、電源部、動作条件設定部、センサー部、制御部、電流値検出部（電流値調整スイッチ）及び出力制御部は、マルチタップ（コンセント）だけでなく、家電製品又はプラグ内部に設置されて使用されることもできる。
【０１１５】
以上で説明したように、本発明による待機電力遮断用の多機能マルチタップ（コンセント）は、照度センサー又は人体感知センサーを用いて、従属関係にある家電製品及びコンピュータ製品を連動制御できる。
【０１１６】
また、本発明による待機電力遮断用の多機能マルチタップ（コンセント）は、電流値の容量がそれぞれ異なる家電製品等に対して容量に合うように選択的に電流値を調整することにより、兼用で使用することができる。
【０１１７】
また、本発明による待機電力遮断用の多機能マルチタップ（コンセント）は、照度センサーや人体感知センサーなどを備え、連動／単動条件下にある各引込口周辺の照度の変化や人の有無を感知し、制御部により上記感知された信号を判断し、連動／単動条件に応じて上記各引込口を待機状態及び節電状態に制御できる。
【図面の簡単な説明】
【０１１８】
【図１】従来技術による電気製品の電力供給システムを示す例示図である。
【図２】本発明による待機電力遮断用の多機能マルチタップ（コンセント）の構成を示す図である。
【図３】図２の過電流遮断装置及び電源部の詳細な回路図である。
【図４】図２の動作条件設定部の詳細な回路図である。
【図５】図２のセンサー部に含まれている照度センサーの詳細な回路図である。
【図６】図２のセンサー部に含まれている人体感知センサーの詳細な回路図である。
【図７】図２の制御部の詳細な回路図である。
【図８】図２の電流検出部及び出力制御部の詳細な回路図である。
【図９】照度センサーを用いる場合における、本発明による待機電力遮断用の多機能マルチタップ（コンセント）の制御方法を示す動作のフローチャートである。
【図１０】照度センサー及び人体感知センサーを同時に使用する場合における、本発明による待機電力遮断用の多機能コンセント装置の制御方法を示す動作のフローチャートである。
【図１】
2007522634.tif 000003
【図２】
2007522634.tif 000004
【図３】
2007522634.tif 000005
【図４】
2007522634.tif 000006
【図５】
2007522634.tif 000007
【図６】
2007522634.tif 000008
【図７】
2007522634.tif 000009
【図８】
2007522634.tif 000010
【図９】
2007522634.tif 000011
【図１０】
2007522634.tif 000012
【国際調査報告】
2007522634.tif 000013
2007522634.tif 000014